(57)【要約】      （修正有）【課題】毛髪を傷めることなく、頭皮を良好に洗浄或いはマッサージできるようにする。【解決手段】可撓性を有する基板４とこの基板４の表面Ｓと交差するように基板４に設けられた複数の突起５〜７から成るブラシ部３を、駆動部としての電動式ブラシ装置本体の枠体に着脱自在に保持させると共に、前記電動式ブラシ装置本体内の往復駆動手段に接続し、この往復駆動手段によって前記基板４をその表面４Ｓと交差する方向に繰り返し撓ませ、前記各突起５〜７を互いに繰り返し開閉させることによって頭皮Ｓ等を洗浄又はマッサージする電動式ブラシ装置であって、前記第一突起５の先端部５Ａにそれぞれ微小突部２８を高さ方向に突出させて設けたことにより、前記微小突部２８が頭皮Ｓに直接接するので、前記第一突起５と毛髪の摩擦を、即ち、毛髪の傷みを抑制し、頭皮の洗浄やマッサージを良好に行うことができる。【選択図】図３
2010167047.tif 000002
【特許請求の範囲】
【請求項１】
駆動部と、この駆動部によって動作するブラシ部とを有し、このブラシ部が、可撓性を有する材質から成る基板と、この基板の表面に突出して設けられた複数の突起とで構成され、前記駆動部に、前記基板の周縁を保持する枠体と、前記基板に接続してこの基板の面と交差する方向にこの基板を撓ませる往復駆動手段を設けた電動式ブラシ装置において、
前記各突起の先端部側に、それぞれ微小突部を高さ方向に突出させて設けたことを特徴とする電動式ブラシ装置である。
【請求項２】
前記微小突部が、前記各突起の先端部にそれぞれ複数設けられると共に、これらの微小突部が、相互間に先端側及び側方が開放された間隙を介して設けられていることを特徴とする請求項１記載の電動式ブラシ装置。
【請求項３】
前記微小突部が形成された当接片が、前記突起に対して着脱自在に構成されていることを特徴とする請求項１又は２記載の電動式ブラシ装置。
【請求項４】
前記当接片の材質と前記突起の材質とを違えて形成したことを特徴とする請求項３記載の電動式ブラシ装置。
【発明の詳細な説明】
【技術分野】
【０００１】
本発明は、電動式ブラシ装置に関するものであり、特に、頭皮の洗浄やマッサージ等に使用することができる電動式ブラシ装置に関するものである。
【背景技術】
【０００２】
従来、この種の電動式ブラシ装置として、駆動部と、この駆動部によって動作する施療部（本願発明のブラシ部に相当する）とを有し、前記駆動部に、前記施療部の基板の周縁を前記駆動部に対する位置関係が固定された状態で着脱自在に保持する枠体を設けると共に、前記基板の中心に接続して該基板の面と交差する方向にこの基板を撓ませる往復駆動手段を設け、前記施療部が、可撓性を有する材質から成る前記基板と、この基板に突出して設けられた複数の突起とで構成されるマッサージ装置が知られている。そして、このマッサージ装置では、使用者は、駆動部を把持し、突起の先端部を頭皮に押し当てて手で保持し、前記往復駆動手段によって前記施療部の基板を撓ませることで、この基板の撓みに伴って、この基板に設けられた複数の前記突起を繰り返し倒したり起こしたりさせることで相互に開閉させ、これらの相互に開閉する突起によって、揉んだり擦ったり叩いたりするように、頭皮を複雑にマッサージすることができるものである。これは、図９及び図１０に示すように、駆動部１０１により駆動される施療部１０２における基板１０３が下に撓んだ湾曲凸状態と上に撓んだ湾曲凹状態との間で変形を繰り返す際、複数種類の突起１０４，１０５，１０６，１０７が、前記基板１０３の撓みに伴って動くことで、頭皮Ｓに押し当てられた前記突起１０４，１０５，１０６，１０７によって頭皮Ｓを指先で行うようにマッサージすることができるというものである（例えば特許文献１，２）。
【先行技術文献】
【特許文献】
【０００３】
【特許文献１】特開２００７−２２９１５９号公報
【特許文献２】特開２００８−２０６９０２号公報
【発明の概要】
【発明が解決しようとする課題】
【０００４】
前記従来技術は、頭皮Ｓに押し当てられた前記突起１０４，１０５，１０６，１０７によって頭皮Ｓを指先で行うようにマッサージするものであり、前記突起１０４，１０５，１０６，１０７の先端が先細であれば、図示しない毛髪を避けて頭皮Ｓに前記突起１０４，１０５，１０６，１０７を直接押し当てることができるものの、前記突起１０４，１０５，１０６，１０７の先端が比較的太くなると、これらの突起１０４，１０５，１０６，１０７が毛髪に接触して頭皮Ｓに直接押し当てられず、前記突起１０４，１０５，１０６，１０７が頭皮Ｓとの間に毛髪を挟んでしまい、この結果、前記突起１０４，１０５，１０６，１０７が毛髪上を滑って毛髪を傷めたり、マッサージ効果を低下させたりする虞がある。更に、このような装置を用いて頭皮Ｓを洗浄する場合、毛髪のみが洗浄され、頭皮が十分に洗浄されないという虞もあった。
【０００５】
本発明が解決しようとする課題は、頭皮に突起を押し当てて頭皮の洗浄或いはマッサージを行う電動式ブラシ装置において、毛髪を挟むことなく頭皮に突起を押し当て、頭皮を洗浄或いはマッサージできるようにすることである。
【課題を解決するための手段】
【０００６】
請求項１の発明は、駆動部と、この駆動部によって動作するブラシ部とを有し、このブラシ部が、可撓性を有する材質から成る基板と、この基板の表面に突出して設けられた複数の突起とで構成され、前記駆動部に、前記基板の周縁を保持する枠体と、前記基板に接続してこの基板の面と交差する方向にこの基板を撓ませる往復駆動手段を設けた電動式ブラシ装置において、前記各突起の先端部側に、それぞれ微小突部を高さ方向に突出させて設けたことを特徴とする電動式ブラシ装置である。
【０００７】
請求項２の発明は、前記微小突部が、前記各突起の先端部にそれぞれ複数設けられると共に、これらの微小突部が、相互間に先端側及び側方が開放された間隙を介して設けられていることを特徴とする請求項１記載の電動式ブラシ装置である。
【０００８】
請求項３の発明は、前記微小突部が形成された当接片が、前記突起に対して着脱自在に構成されていることを特徴とする請求項１又は２記載の電動式ブラシ装置である。
【０００９】
請求項４の発明は、前記当接片の材質と前記突起の材質とを違えて形成したことを特徴とする請求項３記載の電動式ブラシ装置である。
【発明の効果】
【００１０】
請求項１の発明によれば、頭皮を洗浄或いはマッサージする際に、前記微小突部が前記頭皮上の毛髪の間に入り込むことで、前記微小突部が頭皮に直接接するので、前記突起と頭皮の間で毛髪を挟むことなく、頭皮の洗浄やマッサージを行うことができる。このため、毛髪の傷みを抑制し、頭皮の洗浄やマッサージを良好に行うことができる。
【００１１】
また、相互間に先端側及び側方が開放された間隙を介すように、複数の前記微小突部を前記各突起の先端部にそれぞれ設けることで、前記突起を頭皮に当接させた際に、毛髪が前記間隙に入り込むことができるので、前記微小突部と頭皮を確実に接触させて、毛髪を傷めることなく、頭皮の洗浄やマッサージを良好に行うことができる。
【００１２】
また、前記微小突部が形成された当接片を、前記突起に対して着脱自在に構成したことで、傷みやすい微小突部を有する当接片のみを交換することで、ブラシ部を長く使用することができる。
【００１３】
更に、前記当接片の材質と前記突起の材質とを違えて形成したことで、前記突起の材質に影響されることなく、前記微小突部を、頭皮の洗浄やマッサージに最適な特性とすることができる。
【図面の簡単な説明】
【００１４】
【図１】本発明の実施例１を示す電動式ブラシ装置の斜視図である。
【図２】同、断面図である。
【図３】同、ブラシ部の要部の拡大斜視図である。
【図４】同、ブラシ部の要部の拡大断面図である。
【図５】同、ブラシ部の要部の拡大底面図である。
【図６】本発明の実施例２を示す電動式ブラシ装置のブラシ部の斜視図である。
【図７】同、断面図である。
【図８】本発明の実施例３を示す電動式ブラシ装置のブラシ部の斜視図である。
【図９】従来例を示す湾曲凸状態の基板まわりの断面図である。
【図１０】従来例を示す湾曲凹状態の基板まわりの断面図である。
【発明を実施するための最良の形態】
【００１５】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１６】
図１〜図５は実施例１を示している。なお、本例においては、図２の姿勢を基準として上下を規定する。１は本発明の電動式ブラシ装置である。この電動式ブラシ装置１は、駆動部としての電動式ブラシ装置本体２と、この電動式ブラシ装置本体２の下部側に着脱自在に保持されるブラシ部３とを有して構成されている。そして、このブラシ部３は、基板４と、この基板４の表面４Ｓと交差する方向である下方側に突出して一体に設けられた３種類の突起５，６，７とで構成されている。また、前記基板４は、平面視で楕円状であって、可撓性及び弾性を有するエラストマーによって形成されている。また、前記基板４は、自然状態において、外側に凸（即ち、湾曲凸状態）となっている。そして、前記基板４の縁４Ａは、前記電動式ブラシ装置本体２の底面部２Ｂ側に設けられた枠体８に固定されている。なお、ここで言う「固定」とは、多少の動きを許容して接続される状態を含むものであり、本実施例では、前記基板４の縁４Ａを前記電動式ブラシ装置本体２の枠体８に嵌合させることで、両者を全周に亘って着脱自在に接続している。
【００１７】
前記電動式ブラシ装置本体２は、底面側が開口すると共に片手で把握可能な大きさを有するケース本体２Ａと、このケース本体２Ａの開口した底面側を閉塞する前記底面部２Ｂとを有して構成されている。この底面部２Ｂは、底板９と覆い体１１とを有する。そして、前記底板９は、平面視で楕円状に形成されており、前記ケース本体２Ａの底縁にその外周が固定されていると共に、前記底板９の中央部には上下方向に貫通する円形の窓孔１０が形成されており、この窓孔１０を覆って伸縮可能な前記覆い体１１が設けられている。この覆い体１１は、例えばゴム或いは合成ゴムやエラストマー等の可撓性を有する材質から成る蛇腹状の膜によって、前記窓孔１０を水密に封ずるように設けられている。そして、前記電動式ブラシ装置本体２の内部には、前記基板４の中央部を上下方向に往復動させる往復駆動手段１２が設けられている。この往復駆動手段１２は、駆動源としてのモータ１３と、このモータ１３のモータ軸１３Ａに減速歯車機構１４を介して接続されるクランク１５と、このクランク１５の偏心軸１５Ａと結合したヨーク１６と、このヨーク１６と一体に形成されたロッド１６Ａを備えている。このように、本実施例では、所謂スコッチ・ヨーク機構を採用したが、クランク機構を採用しても良い。なお、前記覆い体１１のほぼ中央には、接続中継部材１７が一体的に取り付けられている。この接続中継部材１７は、その上面側と前記ロッド１６Ａの下端とで前記覆い体１１を挟持して固定すると共に、その下面側にフック１７Ａが設けられており、このフック１７Ａに、前記基板４中央の上面に設けられたフック受け部４Ｂが着脱自在に接続されている。従って、前記接続中継部材１７は、前記モータ１３の回転運動が前記クランク１５とヨーク１６とで往復運動に変換されることで、上下方向に往復運動するようになっている。これにより、前記フック受け部４Ｂが設けられた位置が、前記基板４における最大振幅部となり、その振幅は、前記クランク１５の中心軸から前記偏心軸１５Ａまでの偏心距離Ｆの２倍（２Ｆ）となる。また、前記フック受け部４Ｂ及び接続中継部材１７を通って上下方向に仮想的な中心軸線Ｘが定義される。また、前記電動式ブラシ装置本体２の内部には、前記モータ１３に電力を供給するための電池１８が設けられていると共に、前記電動式ブラシ装置本体２の上面側表面には、前記モータ１３を操作するためのスイッチ１９が設けられている。
【００１８】
前記ブラシ部３について詳述する。前記第一〜第三の突起５，６，７は、それぞれ先細で且つ先端が略半球状に丸められた円錐形状である。そして、これらの突起５，６，７は、前記基板４のほぼ中央を上下に通る仮想的な前記中心軸線Ｘを中心として、前記基板４の縁４Ａに沿って定義される楕円状の仮想外側輪Ｏと、その内側に定義される楕円状の仮想中間輪Ｍと、その内側に定義される円状の仮想内側輪Ｉに沿ってそれぞれ設けられている。また、前記仮想内側輪Ｉ上には、前記第三突起７同士を接続するように、環状壁２７が設けられている。更に、前記基板４には、前記電動式ブラシ装置本体２とブラシ部３とで囲まれる領域の内外を連通する小貫通孔状の第一連通部２１及び第二連通部２２が設けられる。前記第一連通部２１は、前記仮想内側輪Ｉよりも外側に設けられている。一方、第二連通部２２は、仮想内側輪Ｉの内側に設けられた中心軸線Ｘを中心とした円形の仮想中心輪Ｎに沿って間隔をおいて環状に配置されている。即ち、前記第二連通部２２は、前記第三突起７と環状壁２７とで囲まれた区域に形成されている。一方、前記第一連通部２１は、前記第三突起７と環状壁２７の外側の区域に形成されている。そして、前記環状壁２７の基端から先端までの高さＨ４は、前記環状壁２７によって接続される前記第三突起７の基端から先端までの高さＨ３より小さくなっている。また、前記第一，第二突起５，６の基端から先端までの高さをＨ１，Ｈ２としたとき、それぞれの値はＨ１＞Ｈ２＞Ｈ３＞Ｈ４になっている。更に、前記第一，第二突起５，６の先端部５Ａ，６Ａにおける幅（直径）をＷ１，Ｗ２としたとき、それぞれの幅はＷ１＞Ｗ２になっている。なお、実施例では、前記幅Ｗ１，Ｗ２を定義するための位置５Ｐ，６Ｐは、円錐面と半球状面との境界である。
【００１９】
そして、前記第一突起５の先端部５Ａには、複数（実施例では三つ）の微小突部２８が高さ方向に突出して設けられる。これらの微小突部２８は先細であって、相互に間隙２９をおいて設けられている。なお、これらの微小突部２８は、実施例では、ほぼ等間隔に設けられている。これらの微小突部２８の基端部における幅（直径）Ｗ３は、前記幅Ｗ１より小さく（Ｗ１＞Ｗ３）、また前記各微小突部２８の基端から先端までの高さＨ５は、毛髪Ｔの直径Ｄ（個人差があるものの、一般的には０．０５〜０．１５ｍｍ程度）よりも高くなるように、０．１５ｍｍ以上、望ましくは１ｍｍ以上に形成する（Ｈ５＞０．１５ｍｍ）。また、前記間隙２９は、前記各微小突部２８の高さ方向の他に、前記各微小突部２８の前後又は及び左右となる側方に開口している。このため、前記間隙２９には、先端側開口２９Ａ及び側方開口２９Ｂが形成されることとなる。そして、前記間隙２９の幅Ｗ４は、毛髪Ｔの直径Ｄよりも広くなるように、０．１５ｍｍ以上、望ましくは１ｍｍ以上に形成する（Ｗ４＞０．１５ｍｍ）。
【００２０】
また、前記電動式ブラシ装置本体２とブラシ部３とで囲まれる領域、即ち、前記底面部２Ｂと基板４の内面との間には、前記連通部２１，２２に連通して前記基板４の撓みに応動するシャンプーの収容体２６が設けられる。この収容体２６は、前記基板４の撓みに応動して圧縮及び復元を繰り返すことで、前記シャンプーを前記各連通部２１，２２から吸引したり吐出したりさせるようになっている。なお、前記収容体２６は、実施例では弾性体である連続気泡型の発泡ポリウレタンや発泡ゴム等から成る合成スポンジ或いは海綿（天然スポンジ）等によって形成されており、図２に示すように、前記基板４が下に撓んだ湾曲凸状態のときに、前記収容体２６はほぼ非圧縮状態或いはやや圧縮状態となって、前記底面部２Ｂと基板４の上面との間に介在している。即ち、前記基板４が下に撓んだ湾曲凸状態のときに、前記収容体２６の上面２６Ａは前記底面部２Ｂに接するか或いは近接し、前記収容体２６の下面２６Ｂは前記基板４の上面に接するか或いは近接し、更に前記収容体２６の外周２６Ｃは前記枠体８に接するか或いは近接している。一方、前記収容体２６における中心部、すなわち中心軸線Ｘに沿って貫通孔２６Ｄが形成されている。この貫通孔２６Ｄを通して、前記フック受け部４Ｂと前記フック１７Ａが接続できるように形成されている。
【００２１】
次に、前記構成について、その作用を説明する。頭皮Ｓを洗浄したりマッサージしたりする場合、まず使用者は、予め前記収容体２６に適量の水を含ませておく。なお、水は前記電動式ブラシ装置１を水に浸けることで、前記各連通部２１，２２を介して前記収容体２６に吸収される。そして、前記基板４の表面４Ｓを上向きとし、前記第三突起７と環状壁２７で囲まれた区域に適量のシャンプーを乗せる。この際、前記第三突起７と環状壁２７で囲まれた区域に乗せられた前記シャンプーは、過剰に乗せない限り、前記第三突起７と環状壁７の外側の区域に流れ出すことはない。そして、少量のシャンプーは、前記第二連通部２２から前記収容体２６側に染み込む。
【００２２】
次に、前記スイッチ１９を操作すると、前記電池１８から電力が給電されることで、前記モータ１３が作動して前記モータ軸１３Ａが回転する。この回転に伴い、前記モータ軸１３Ａに前記減速歯車機構１４を介して接続された前記クランク１５が回転し、このクランク１５及びこのクランク１５の偏心軸１５Ａと結合した前記ヨーク１６によって、前記モータ軸１３Ａの回転運動が往復運動に変換され、前記ヨーク１６と一体に形成されたロッド１６Ａの下端に取り付けられた前記接続中継部材１７が上下に往復動する。そして、前記基板４は、前記接続中継部材１７に設けられた前記フック１７Ａに接続された前記フック受け部４Ｂ、即ち、前記基板４の中央が最大振幅箇所となるように、従来技術と同様に下に撓んだ湾曲凸状態と上に撓んだ湾曲凹状態との間で変形を繰り返し、その前記最大振幅個所における振幅は、前記クランク１５の中心軸から偏心軸１５Ａまでの偏心距離Ｆの２倍（２Ｆ）となる。
【００２３】
このように、前記基板４が下に撓んだ湾曲凸状態と上に撓んだ湾曲凹状態との間で変形を繰り返すことで、前記基板４と底面部２Ｂの間の空間が圧縮、復元を繰り返すことになり、この結果、前記収容体２６は前記基板４の撓みに応動して圧縮、復元を繰り返す。そして、前記収容体２６が圧縮状態から復元する際に、前記基板４と底面部２Ｂの間の空間が減圧状態となることで、前記第三突起７と環状壁２７の内側区域に乗せられた前記シャンプーが前記第二連通部２２から吸引されて前記空間内に流入し、前記収容体２６に収容される。逆に、前記収容体２６が圧縮される際に、この収容体２６に収容された前記シャンプーは、前記第二連通部２２より噴出されることとなる。なお、前記シャンプーは、前記第二連通部２２を通して押し出される際に空気と混じり合うことで泡立つ。そして、このように前記収容体２６の変形が繰り返されることで、前記シャンプーが徐々に前記収容体２６の中央から外周側に広がってゆき、これによって、前記第一連通部２１からも、泡立てられた前記シャンプーが押し出されることになる。このように、湾曲凸状態と湾曲凹状態との間で繰り返される前記基板４の変形に応動して前記収容体２６が圧縮、復元を繰り返すことで、前記第三突起７及び環状壁２７の内側区域に乗せられた前記シャンプーは、泡立てられて、前記ブラシ部３全体から外部に供給される。なお、前記シャンプーは、前記連通部２１，２２を通過する際に細かく泡立てられることになる。そして、前記シャンプーは、前記連通部２１，２２の孔の径が小さい程、細かく泡立てられることになる。
【００２４】
このように、前記シャンプーが泡立てられた状態で、使用者は、前記電動式ブラシ装置本体２を把持し、前記突起５，６，７の先端部を前記頭皮Ｓに押し当てて手で保持する。これにより、主として前記第一突起５は、前記中心軸線Ｘを中心としてその内側方向に傾斜したり、或いはその後起立したりすることを繰り返すことで、前記頭皮Ｓを揉むようにしてマッサージを行うことができる。また、前記第二突起６は、前記第一突起５よりも短く、且つ基端部が前記第一突起５の基端部よりも太く、先端部６Ａが前記第一突起５の先端部５Ａよりも細いため、前記中心軸線Ｘを中心としてその内側方向に傾斜したり、或いはその後起立したりすることを繰り返すことで、前記頭皮Ｓに対して先端が擦るようにしてマッサージを行うことができる。また、前記第三突起７は、前記基板４の撓みによって、前記頭皮Ｓに対して当接と離間を繰り返すことで、前記頭皮Ｓを軽く叩くようにしてマッサージを行うことができる。このように、前記突起５，６，７を用いてマッサージを行うと同時に、細かく泡立てられた前記シャンプーを用いて、前記頭皮Ｓや毛髪Ｔが洗浄される。この際、使用者が掌を用いて泡立てた場合よりも細かく泡立てられた前記シャンプーを用いて洗髪やマッサージを行うことができるので、毛髪Ｔや頭皮Ｓを効果的に洗浄することができるばかりでなく、エラストマー等の摩擦係数の比較的大きな材質から構成される前記ブラシ部３との摩擦から毛髪Ｔを確実に保護することができる。
【００２５】
そして、前記ブラシ部３の各突起５〜７を前記頭皮Ｓに押し当てると、前記第一突起５の先端部５Ａと頭皮Ｓとの間に毛髪Ｔが挟み込まれて、前記先端部５Ａが毛髪Ｔと擦れて毛髪Ｔを傷めたり、前記先端部５Ａが頭皮Ｓと直接接触せず、頭皮Ｓを良好に洗浄或いはマッサージできなくなったりする虞がある。しかしながら、前述したように、複数の前記微小突部２８が前記間隙２９を隔てて前記第一突起５の先端部５Ａに形成されているため、前記第一突起５の先端部５Ａを頭皮Ｓに当接させると、頭皮Ｓに複数の前記微小突部２８が直接当接し、これらの微小突部２８間の前記間隙２９に毛髪Ｔが入り込む。即ち、毛髪Ｔは、前記先端側開口２９Ａから前記間隙２９に入り込み、一の前記側方開口２９Ｂから他の前記側方開口２９Ｂへ通り抜ける。この結果、前記微小突部２８が頭皮Ｓに直接接するので、これらの微小突部２８によって、毛髪Ｔを傷めることなく、頭皮Ｓの洗浄或いはマッサージを行うことができる。なお、本実施例では、前記第一突起５の先端部５Ａと比べて前記第二突起６の先端部６Ａが細いことで、この先端部６Ａが頭皮Ｓに直接接しやすいので、前記先端部６Ａに微小突部を形成していないが、前記第二突起６の先端部６Ａにも微小突部を形成しても良い。
【００２６】
以上のように、前記実施例では、可撓性を有する基板４とこの基板４の表面Ｓと交差するように基板４に設けられた複数の突起５〜７から成るブラシ部３を、駆動部としての電動式ブラシ装置本体２の枠体８に着脱自在に保持させると共に、前記電動式ブラシ装置本体２内の往復駆動手段１２に接続し、この往復駆動手段１２によって前記基板４をその表面４Ｓと交差する方向に繰り返し撓ませることで、前記各突起５〜７を互いに繰り返し開閉させることによって頭皮Ｓ等を洗浄又はマッサージする電動式ブラシ装置１であって、前記第一突起５の先端部５Ａにそれぞれ微小突部２８を高さ方向に突出させて設けたことにより、頭皮Ｓを洗浄或いはマッサージする際に、前記微小突部２８が頭皮上Ｓの毛髪Ｔの間に入り込むことで、前記微小突部２８が頭皮Ｓに直接接するので、前記第一突起５と頭皮Ｓの間で毛髪Ｔを挟むことなく、即ち、毛髪Ｔの傷みを抑制し、頭皮Ｓの洗浄やマッサージを良好に行うことができるものである。
【００２７】
また、相互間に先端側開口２９Ａ及び側方開口２９Ｂを有する間隙２９を介すように、前記微小突部２８を前記第一突起５の先端部５Ａにそれぞれ三つずつ設けることで、前記第一突起５を頭皮Ｓに当接させた際に、毛髪Ｔが前記先端側開口２９Ａから前記間隙２９に入り込み、一の前記側方開口２９Ｂから他の前記側方開口２９Ｂへ通り抜けることができるので、前記微小突部２８と頭皮Ｓとを確実に接触させて、毛髪Ｔを傷めることなく、また毛髪Ｔに邪魔されずに、頭皮Ｓの洗浄やマッサージを良好に行うことができるものである。
【００２８】
しかも、前記微小突部２８の高さＨ５を毛髪Ｔの直径Ｄよりも高く、前記間隙２９の幅Ｗ４を毛髪Ｔの直径Ｄよりも広く形成したことで、前記間隙２９に毛髪Ｔが自由に入り込んだり、或いは抜け出したりすることができるので、頭皮Ｓを洗浄或いはマッサージする際に、毛髪Ｔを痛めたりするようなことを阻止することができる。
【００２９】
更に、本実施例では、前記微小突部２８の高さＨ５を毛髪Ｔの直径Ｄよりも十分高く、前記間隙２９の幅Ｗ４を、毛髪Ｔの直径Ｄよりも十分広く形成したことで、毛髪Ｔを複数本跨いだ状態であっても、これらの毛髪Ｔを傷めることなく、頭皮Ｓを洗浄或いはマッサージすることができる。
【実施例２】
【００３０】
図６及び図７は実施例２を示している。なお、実施例２において、電動式ブラシ装置本体２の構成は実施例１と同一であり、ブラシ部３０のみが実施例１のブラシ部３と異なるので、図面においても前記ブラシ部３０のみを記載し、前記電動式ブラシ装置本体２については記載を省略した。実施例２において、前記ブラシ部３０は、基板３１と、この基板３１の表面３１Ｓと交差する方向に突出して一体に設けられた第一突起３２、第二突起３３、第三突起３４とで構成されている。また、前記基板３１は、平面視で楕円状であって、可撓性及び弾性を有するエラストマーによって形成されている。そして、前記基板３１の縁３１Ａは、電動式ブラシ装置本体２の枠体８に嵌合して着脱自在に固定されている。
【００３１】
前記ブラシ部３０について詳述する。前記第一突起３２と第二突起３３は、前記基板３１のほぼ中央を上下に通るように定義される中心軸線Ｙを中心として、前記基板３１の縁３１Ａに沿って楕円状に並べて設けられる。また、前記第三突起３４は、前記第一及び第二突起３２，３３の内側に、前記中心軸線Ｙを中心に円形に並べて設けられている。
【００３２】
相互に間隔をおいて設けられる前記第一突起３２は、中心軸線Ｙを中心として相互に対向するように複数間隔をおいて設けられている。なお、本例において、前記第一突起３２は、楕円弧状に四つ並んだ群を軸対称となるように二個所に設けることで、合計八つ設けられている。そして、前記第一突起３２の頭皮Ｓへの当接面３５は、その先端３５Ａ側が丸く形成される。一方、前記第一突起３２の当接面３５は、中間部から基端３５Ｂにかけて幅Ｗ５がほぼ一定か、或いは前記基端３５Ｂ側がやや細くなっている。そして、前記当接面３５は、その基端３５Ｂ側よりも先端３５Ａ側が前記中心軸線Ｙからの距離Ｌが長くなるように、前記基端３５Ｂ側から先端３５Ａ側にかけて湾曲凸状に後退している。即ち、図７に示すように、前記当接面３５は、前記基端３５Ｂから先端３５Ａに向かうに従って、傾斜が小さくなっている。
【００３３】
前記第二突起３３は、楕円弧状に並んだ前記第一突起３２群の端部同士の間に、前記基板３１と一体に形成されるものである。実施例では、前記第二突起３３は、前記基板３１の長径方向両端部に、対向して一対設けられている。そして、前記第二突起３３は、前記中心軸線Ｙに対向する凸曲面状の当接面３６を有している。この当接面３６は、前記第一突起３２の当接面３５と同様に、先端３６Ａ側が丸く形成されると共に、中間部から基端３６Ｂにかけて幅Ｗ６がほぼ一定か、或いは前記基端３６Ｂ側がやや細い形状となっている。なお、前記第二突起３３の基端３６Ｂから先端３６Ａまでの突出寸法は、前記第一突起３２の基端３５Ｂから先端３５Ａまでの突出寸法よりも小さい。また、前記第二突起３３自体は、前記基板３１の長径方向両端部に形成されていることから、前記基板３１が撓んでも、前記第一突起３２程は大きく動かない。
【００３４】
更に、前記中心軸Ｙを中心として相互に間隔をおいて円形に並べて設けられた複数の前記第三突起３４は、先端側がやや細く且つ先端を丸くした円柱状であって、基端から先端までの突出寸法は、前記第一突起３２の突出寸法及び前記第二突起３３の突出寸法よりも小さい。
【００３５】
そして、前記第一突起３２の当接面３５の先端３５Ａ側には、取付凹部３７が形成されており、この取付凹部３７に、当接片３８が着脱自在に取り付けられている。この当接片３８は、基部３９と、この基部３９と一体に形成された複数の微小突部４０とで構成されている。なお、本実施例では、前記微小突部４０は、縦に三つずつ、横方向に二列、前記基部３９に設けられている。そして、前記各微小突部４０間には、間隙４１が形成されている。なお、前記各微小突部４０の基端から先端までの高さは、毛髪Ｔの直径Ｄよりも高くなるように、０．１５ｍｍ以上、望ましくは１ｍｍ以上に形成する。また、前記間隙４１は、前記各微小突部４０の高さ方向の他に、前記各微小突部４０の前後又は及び左右となる側方に開口している。このため、前記間隙４１には、先端側開口４１Ａ及び側方開口４１Ｂが形成されることとなる。そして、前記間隙４１の幅Ｗ７は、毛髪Ｔの直径Ｄよりも広くなるように、０．１５ｍｍ以上、望ましくは１ｍｍ以上に形成する（Ｗ７＞０．１５ｍｍ）。なお、前記当接片３８は、前記基板３１及び各突起３２〜３４を構成するエラストマーよりも硬い材質によって形成されている。また、前記第二突起３３の当接面３６の先端３６Ａ側にも、取付凹部４２が形成されており、この取付凹部４２に前記当接片３８が着脱自在に取り付けられている。
【００３６】
本実施例では、実施例１と同様に、前記ブラシ部３０の各突起３２〜３４を前記頭皮Ｓに押し当てると、前記第一突起３２の当接面３５と頭皮Ｓとの間、或いは前記第二突起３３の当接面３６と頭皮Ｓとの間に毛髪Ｔが挟み込まれて、前記当接面３５，３６が毛髪Ｔと擦れて毛髪Ｔを傷めたり、前記当接面３５，３６が頭皮Ｓと直接接触せず、頭皮Ｓを良好に洗浄或いはマッサージできなくなったりする虞がある。しかしながら、前述したように、前記基部３９に複数の前記微小突部４０が前記間隙４１を隔てて形成されることで前記当接片３８が構成されており、この当接片３８が、前記第一突起３２の取付凹部３７や前記第二突起３３の取付凹部４２に取り付けられているため、前記第一突起３２の当接面３５や前記第二突起３３の当接面３６を頭皮Ｓに当接させると、頭皮Ｓに複数の前記微小突部４０が直接当接し、これらの微小突部４０間の前記間隙４１に毛髪Ｔが入り込む。即ち、毛髪Ｔは、前記先端側開口４１Ａから前記間隙４１に入り込み、一の前記側方開口４１Ｂから他の前記側方開口４１Ｂへ通り抜ける。この結果、前記微小突部４０が頭皮Ｓに直接接するので、これらの微小突部４０によって、毛髪Ｔを傷めることなく、頭皮Ｓの洗浄或いはマッサージを行うことができる。
【００３７】
なお、前記微小突部４０は、各突起３２〜３４よりも細く形成されているので、前記当接片３８が前記基板３１及び各突起３２〜３４を構成するエラストマーよりも硬い材質によって形成されていたとしても、各突起３２〜３４に比べて傷みやすい。しかしながら、前記当接片３８が、前記第一突起３２及び第二突起３３に対して着脱自在とされていることで、傷みやすい前記微小突部４０を有する前記当接片３８のみを交換することで、前記ブラシ部３０を長く使用することができる。
【００３８】
更に、前記当接片３８の材質を前記各突起３２〜３４の材質よりも硬くしたことで、前記微小突部４０を細く形成したとしても、頭皮Ｓを洗浄する場合、頭皮Ｓを良好に擦って十分な洗浄を行うことができるばかりでなく、頭皮Ｓをマッサージする場合、頭皮Ｓに十分な刺激を与えることができる。即ち、比較的柔軟な前記各突起３２〜３４の材質の特性に影響されることなく、前記微小突部４０の特性を、頭皮Ｓの洗浄やマッサージに最適なものとすることができる。逆に、前記微小突部４０の材質の特性に影響されることなく、前記各突起３２〜３４の特性を、頭皮Ｓの洗浄やマッサージに最適なものとすることができるとも言うことができる。
【実施例３】
【００３９】
図８は実施例３を示している。なお、実施例３において、電動式ブラシ装置本体２の構成は実施例１と同一であり、ブラシ部５０のみが実施例１のブラシ部３と異なるので、図面においても前記ブラシ部５０のみを記載し、前記電動式ブラシ装置本体２については記載を省略した。実施例３において、前記ブラシ部５０は、基板５１と、この基板５１の表面５１Ｓと交差する方向に突出して一体に設けられた３種類の突起５２，５３，５４とで構成されている。また、前記基板５１は、平面視で楕円状であって、可撓性及び弾性を有するエラストマーによって形成されている。また、前記基板５１は、自然状態において、外側に凸（即ち、湾曲凸状態）となっている。そして、前記基板５１の縁５１Ａは、電動式ブラシ装置本体２の枠体８に嵌合して着脱自在に固定されている。
【００４０】
前記ブラシ部５０について詳述する。前記第一突起５２は、前記基板５１のほぼ中央を上下に通るように定義される中心軸線Ｚを中心として、前記基板５１の縁５１Ａに沿って楕円状に並べて設けられる。同様に、前記第二突起５３は、前記中心軸線Ｚを中心として、前記第一突起５２の内側に楕円状に並べて設けられる。更に、前記第三突起５４は、前記第二突起５３の内側に、前記中心軸線Ｚを中心に円形に並べて設けられている。また、前記第三突起５４同士を接続するように、環状壁５５が設けられている。更に、前記基板５１には、前記電動式ブラシ装置本体２とブラシ部５０とで囲まれる領域の内外を連通する小貫通孔状の第一連通部５６及び第二連通部５７が設けられる。前記第二連通部５７は、前記第三突起５４と環状壁５５とで囲まれた区域に形成されている。一方、前記第一連通部５６は、前記第三突起５４と環状壁５５の外側の区域に形成されている。そして、前記環状壁５５の基端から先端までの突出寸法は、前記環状壁５５によって接続される前記第三突起５４の基端から先端までの高さより小さくなっている。また、前記第二突起５３の基端から先端までの突出寸法は、前記第一突起５２の基端から先端までの突出寸法よりも小さく、前記第三突起５４の基端から先端までの突出寸法よりも大きい。
【００４１】
そして、前記各突起５２〜５４の先端部５２Ａ〜５４Ａには、これらの先端側から十字状の切り込み溝を形成することで、微小突部５８〜６０が高さ方向にそれぞれ四つずつ突出して設けられる。これらの微小突部５８〜６０は、相互に間隙６１〜６３をおいて設けられている。なお、これらの微小突部５８〜６０は、実施例では、ほぼ等間隔に設けられている。そして、前記各微小突部５８〜６０の基端から先端までの高さは、毛髪Ｔの直径Ｄよりも高くなるように、０．１５ｍｍ以上、望ましくは１ｍｍ以上に形成する。また、前記各間隙６１〜６３の幅は、毛髪Ｔの直径Ｄよりも広くなるように、０．１５ｍｍ以上、望ましくは１ｍｍ以上に形成する。また、前記間隙６１〜６３は、前記各微小突部５８〜６０の高さ方向の他に、前記各微小突部５８〜６０の前後又は及び左右となる側方に開口している。このため、前記間隙６１〜６３には、先端側開口６１Ａ〜６３Ａ及び側方開口６１Ｂ〜６３Ｂが形成されることとなる。
【００４２】
更に、前記各突起５２〜５４の先端部５２Ａ〜５４Ａ側の周面には、複数の微小突部６４〜６６が間隔を空けて周方向にそれぞれ複数形成されている。そして、これらの微小突部６４〜６６の基端から先端までの高さは、毛髪Ｔの直径Ｄよりも高くなるように、０．１５ｍｍ以上、望ましくは１ｍｍ以上に形成する。また、前記各微小突部６４〜６６同士の間隔は、毛髪Ｔの直径Ｄよりも広くなるように、０．１５ｍｍ以上、望ましくは１ｍｍ以上に形成する。
【００４３】
本実施例では、実施例１及び２と同様に、前記ブラシ部５０の各突起５２〜５４を前記頭皮Ｓに押し当てると、前記各突起５２〜５４の先端部５２Ａ〜５４Ａと頭皮Ｓとの間に毛髪Ｔが挟み込まれて、前記各先端部５２Ａ〜５４Ａが毛髪Ｔと擦れて毛髪Ｔを傷めたり、前記各先端部５２Ａ〜５４Ａが頭皮Ｓと直接接触せず、頭皮Ｓを良好に洗浄或いはマッサージできなくなったりする虞がある。しかしながら、前述したように、前記各突起５２〜５４の先端部５２Ａ〜５４Ａに十字状の切り込み溝を形成することで、前記間隙６１〜６３を隔てて、前記各突起５２〜５４に複数の前記微小突部５８〜６０が形成されていることで、前記各突起５２〜５４の先端部５２Ａ〜５４Ａを頭皮Ｓに当接させると、頭皮Ｓに複数の前記微小突部５８〜６０が直接当接し、これらの微小突部５８〜６０間の前記間隙６１〜６３に毛髪Ｔが入り込む。即ち、毛髪Ｔは、前記先端側開口６１Ａ〜６３Ａから前記間隙６１〜６３に入り込み、一の前記側方開口６１Ｂ〜６３Ｂから他の前記側方開口６１Ｂ〜６３Ｂへ通り抜ける。この結果、前記微小突部５８〜６０が頭皮Ｓに直接接するので、これらの微小突部５８〜６０によって、毛髪Ｔを傷めることなく、頭皮Ｓの洗浄或いはマッサージを行うことができる。
【００４４】
更に、前記各突起５２〜５４の先端部５２Ａ〜５４Ａ側の周面に、複数の微小突部６４〜６６が間隔を空けて周方向にそれぞれ複数形成されていることで、前記ブラシ部５０が頭皮Ｓに押しつけられることで前記各突起５２〜５４が撓んだとしても、前記各微小突部６４〜６６が頭皮Ｓに直接当接する。この結果、これらの微小突部６４〜６６によって、毛髪Ｔを傷めることなく、頭皮Ｓの洗浄或いはマッサージを行うことができる。
【００４５】
なお、本実施例は、実施例１及び２のように、前記微小突部５８〜６０を前記各突起５２〜５４の先端部５２Ａ〜５４Ａに付加して設けるのではなく、前記各突起５２〜５４の先端部５２Ａ〜５４Ａに十字状の切り込み溝を形成することで、相対的に、前記各突起５２〜５４の先端部５２Ａ〜５４Ａに前記間隙６１〜６３を介して前記微小突部５８〜６０を設けることで、実施例１及び２と同様に、前記各微小突部５８〜６０によって、毛髪Ｔを傷めることなく、頭皮Ｓの洗浄或いはマッサージを行うことができる。
【産業上の利用可能性】
【００４６】
以上のように本発明に係る電動式ブラシ装置は、以上の実施例に限定されるものではなく、発明の要旨の範囲内で種々の変形実施が可能である。例えば、上記各実施例の構造において、間隙の幅と微小突部の高さの条件を満たすことができるのであれば、前記微小突部の数は任意である。また、実施例３において、溝の形状は十字状以外、例えばＹ字状や＊字状であっても良い。
【符号の説明】
【００４７】
１  電動式ブラシ装置
２  電動式ブラシ装置本体（駆動部）
３，３０，５０  ブラシ部
４，３１，５１  基板
４Ｓ，３１Ｓ，５１Ｓ  表面
５，３２，５２  第一突起（突起）
５Ａ，５２Ａ  先端部
６，３３，５３  第二突起（突起）
６Ａ，５３Ａ  先端部
７，３４，５４  第三突起（突起）
５４Ａ  先端部
８  枠体
１２  往復駆動手段
２８，４０，５８，５９，６０  微小突部
２９，４１，６１，６２，６３  間隙
２９Ａ，４０Ａ，５８Ａ，５９Ａ，６０Ａ  先端側開口
２９Ｂ，４０Ｂ，５８Ｂ，５９Ｂ，６０Ｂ  側方開口
３８  当接片
【図１】
2010167047.tif 000003
【図２】
2010167047.tif 000004
【図３】
2010167047.tif 000005
【図４】
2010167047.tif 000006
【図５】
2010167047.tif 000007
【図６】
2010167047.tif 000008
【図７】
2010167047.tif 000009
【図８】
2010167047.tif 000010
【図９】
2010167047.tif 000011
【図１０】
2010167047.tif 000012